(57)【要約】【課題】  乳房の寄せ上げ機能を調節可能なブラジャーの提供。【解決手段】  本考案のブラジャー１は、一対のカップ２，２と、カップ２，２の左右両側に設けられる左右のバック布４，４と、カップ２の裏側の脇側部に重ねて配置されて、外縁はカップ２に縫合されるが内縁をカップ２と遊離させて取り付けられ、カップ２対応部分の寸法と略同一の寸法、若しくは、カップ２対応部分の寸法より小さい寸法とされ、伸縮性で略三日月状のサポートパネル５，５と、アジャスター１０を備え、カップ２の下端部と該カップ２と着用時に前後に対向するバック布４の上端部とを連結し、前端部６ａがサポートパネル５の内縁５ｃに縫着される肩紐６，６とを備える。【選択図】      図１
0003110504.tif 000002
【実用新案登録請求の範囲】
【請求項１】
一対のカップと、
前記両カップの左右両側に設けられる左右のバック布と、
前記両カップ裏側の脇側部に重ねて配置されて、外縁はカップに縫合されるが内縁をカップと遊離させて取り付けられ、カップ対応部分の寸法と略同一の寸法、若しくは、カップ対応部分の寸法より小さい寸法とされ、伸縮性で略三日月状のサポートパネルと、
アジャスターを備え、前記カップの下端部と該カップと着用時に前後に対向するバック布の上端部とを連結し、前端部が前記サポートパネルの内縁に縫着される肩紐とを備えることを特徴とするブラジャー。
【請求項２】
前記肩紐が、前記サポートパネルの前面に縫着されることを特徴とする請求項１に記載のブラジャー。
【請求項３】
前記サポートパネルが、サテンネットからなることを特徴とする請求項１又は請求項２のいずれかに記載のブラジャー。
【請求項４】
前記両カップの脇側部を形成するカップ脇側表布の上端部は、前記肩紐に縫合されることを特徴とする請求項１〜３のいずれかに記載のブラジャー。
【請求項５】
前記両カップを形成する裏布の下側部が、左右に並べられる２枚の略三角形状の布が、互いに向き合う縁で縫合されて形成されることを特徴とする請求項１〜４のいずれかに記載のブラジャー。
【請求項６】
着用時において、前記左右のバック布の先端部上縁が、Ｕ字状に刳り下がった形状を形成することを特徴とする請求項１〜５のいずれかに記載のブラジャー。
【請求項７】
前記バック布の先端部上縁に沿って、伸縮性のテープ布が肩紐と連続して縫着されることを特徴とする請求項６に記載のブラジャー。
【考案の詳細な説明】
【技術分野】
【０００１】
本考案は、乳房を寄せ上げて、ボリュームアップさせる機能を有するブラジャーに関する。
【背景技術】
【０００２】
乳房のボリュームアップを図る補正機能を有するブラジャーとして、乳房受けカップの左右カップの裏面側の下側部および／あるいは脇側部にかけて端縁の始末不要なヘムパワーネットよりなる伸縮性のサポート布を配置し、該サポート布の寸法を重ね合わせるカップの寸法より小さい寸法とし、かつ、カップの端縁に沿う部分のみ縫着すると共に他の部分は縫着せずに遊離させ、膨出するカップの裏面側に略平面状に浮かせた状態で取り付けていることを特徴とするブラジャーが提案されている（特許文献１参照）。
【特許文献１】特許第２６９８７５５号公報
【考案の開示】
【考案が解決しようとする課題】
【０００３】
上記ブラジャーを着用すると、サポート布が乳房を寄せ上げるが、このサポート布による寄せ上げ機能を調節することはできなかった。従って、着用する者によっては、寄せ上げ効果が十分に得られないと感じたり、逆に、寄せ上げ効果が高すぎて不自然な仕上がりになると感じたりするという問題があった。
【０００４】
本考案は、かかる事情に鑑みてなされたものであり、乳房の寄せ上げ機能を調節可能なブラジャーの提供を目的とする。
【課題を解決するための手段】
【０００５】
上記課題を解決するため、請求項１に記載のブラジャーは、一対のカップと、前記両カップの左右両側に設けられる左右のバック布と、前記両カップ裏側の脇側部に重ねて配置されて、外縁はカップに縫合されるが内縁をカップと遊離させて取り付けられ、カップ対応部分の寸法と略同一の寸法、若しくは、カップ対応部分の寸法より小さい寸法とされ、伸縮性で略三日月状のサポートパネルと、アジャスターを備え、前記カップの下端部と該カップと着用時に前後に対向するバック布の上端部とを連結し、前端部が前記サポートパネルの内縁に縫着される肩紐とを備えることを特徴とする。
【０００６】
請求項２に記載のブラジャーは、請求項１に記載の構成に加えて、前記サポートパネルの前面に縫着されることを特徴とする。
【０００７】
請求項３に記載のブラジャーは、請求項１又は請求項２のいずれかに記載の構成に加えて、前記サポートパネルが、サテンネットからなることを特徴とする。
【０００８】
請求項４に記載のブラジャーは、請求項１から請求項３のいずれかに記載の構成に加えて、前記両カップの脇側部を形成するカップ脇側表布の上端部は、前記肩紐に縫合されることを特徴とする。
【０００９】
請求項５に記載のブラジャーは、請求項１から請求項４のいずれかに記載の構成に加えて、前記両カップを形成する裏布の下側部が、左右に並べられる２枚の略三角形状の布が、互いに向き合う縁で縫合されて形成されることを特徴とする。
【００１０】
請求項６に記載のブラジャーは、請求項１から請求項５のいずれかに記載の構成に加えて、着用時において、前記左右のバック布の先端部上縁が、Ｕ字状に刳り下がった形状を形成することを特徴とする。
【００１１】
請求項７に記載のブラジャーは、請求項６に記載の構成に加えて、前記バック布の先端部上縁に沿って、伸縮性のテープ布が肩紐と連続して縫着されることを特徴とする。
【考案の効果】
【００１２】
本考案のブラジャーによれば、所望に応じて、乳房の寄せ上げ機能を調節することができる。
【考案を実施するための最良の形態】
【００１３】
以下、本考案のブラジャーについて図面を参照しながら説明するが、本考案は以下に記載されたもののみに限定されるものではない。
【００１４】
図１は、本考案の実施例を示すブラジャー１の正面側から見た斜視図であり、図２は、ブラジャー１を広げた状態の背面図であり、図３は、ブラジャー１の右半身用の各構成部片の展開図である。また、図４は、ブラジャー１の右半身側を斜め後方から見た図であり、図５（ａ）は、ブラジャー１の縦断面図であり、図５（ｂ）は、ブラジャー１の横断面図である。これらの図に示すように、ブラジャー１は、左右一対のカップ２，２と、カップ２，２の下縁に縫合される支持布３と、支持布３の両端に縫合される左右のバック布４，４と、カップ２，２の裏側に取り付けられるサポートパネル５，５と、カップ２とバック布４を連結する肩紐６，６を備えている。
【００１５】
カップ２は、図３に示すように、カップ上表布２０、カップ脇側表布２１、カップ中央表布２２及びカップ内側表布２３の４枚の布を縫合して形成される表布と、カップ上裏布２４、カップ脇側裏布２５、カップ中央裏布２６及びカップ内側裏布２７の４枚の布を縫合して形成される裏布とを重ねて構成される。
【００１６】
図示するように、カップ脇側表布２１及びカップ脇側裏布２５は、脇側から乳房を包み込むように、略三日月状とされている。また、カップ下側部は、乳房の下部からトップにかけての部分を立体的に包み込むように、２枚の略三角形状の布（表布ではカップ中央表布２２とカップ内側表布２３、裏布ではカップ中央裏布２６とカップ内側裏布２７）を左右に並べて、互いに向き合う縁が縫合されて形成されている。このように、少なくとも直接乳房に触れるカップ２の裏布の下側部を、２枚の布を左右に並べて形成することで、後述する乳房の寄せ上げ機能により寄せ上げられる乳房を、丸みを帯びた美しい形状にすることができる。
【００１７】
上記４枚の表布２０〜２３及び上記４枚の裏布２４〜２７は、乳房を包み込んで前方へ膨出した形状となるように、各々が縫合される。具体的には、カップ中央裏布２６の内縁とカップ内側裏布２７の外縁とが縫合され、カップ上裏布２４の下縁とカップ中央裏布２６の上縁及びカップ内側裏布２７の上縁とが縫合され、カップ脇側裏布２５の内縁とカップ上裏布２４の外縁、カップ中央裏布２６の下縁及びカップ内側裏布２７の下縁とが縫合され裏布が形成される。表布も裏布と同様に形成され、カップ上裏布２４の上縁とカップ上表布２０の上縁とが縫合される。なお、図３には右半身用の各構成部片のみを示したが、左半身用の各構成部片は右半身用の各構成部片と左右対称である。
【００１８】
カップ２を構成する表布は、レース等から形成され、裏布は、不織布、ダブルラッセル、ウレタンシート等から形成される。後述するが、カップ脇側表布２１は、その上端部が肩紐６に縫合されて、肩紐６により上方に引き上げられるので、ラッセルレース等の伸縮性生地から形成されることが好ましい。また、本実施例では、カップ脇側表布２１を補強する観点から、カップ脇側表布２１の裏面に、カップ脇側表布２１とほぼ同じ形状のカップ脇側表布裏当布２８があてがわれている。
【００１９】
支持布３は、図３に示すように、中央表布３０及び脇側表布３１の２枚の布を縫合して形成される表布と、中央裏布３２及び脇側裏布３３の２枚の布を縫合して形成される裏布とを重ねて構成される。表布３０，３１は、レース等から形成され、裏布３２，３３は、非伸縮性生地、若しくは伸縮性が少ない生地から形成される。
【００２０】
支持布３の上縁は、後述するサポートパネル５の下縁と共に、カップ２の下縁に縫合される。そして、この支持布３とカップ２との縫合部には、ワイヤー７，７が挿入されている。
【００２１】
サポートパネル５は、カップ２裏側の脇側部に重ねて取り付けられ、図３に示すように、その形状は乳房の脇側に当たるように略三日月状とされている。サポートパネル５の寸法は、カップ２裏側の脇側部に重ねて配置された状態において、カップ２対応部分の寸法より小さい寸法に設定されている。すなわち、カップ２は、前方へ膨出した形状となるように形成されているが、サポートパネル５は、図５に示すように、カップ２裏側に取り付けられた状態において、カップ２から浮いた状態となる。なお、本実施例では、サポートパネル５の寸法は、カップ２対応部分の寸法より小さい寸法に設定されているが、カップ２の対応部分の寸法と略同一の寸法とされていてもよい。
【００２２】
サポートパネル５の外縁５ａと、カップ２のカップ脇側表布２１の外縁及びカップ脇側裏布２５の外縁とが縫合され、下縁５ｂは、上述したように、カップ脇側表布２１の下縁及びカップ脇側裏布２５の下縁と共に支持布３の上縁に縫合される。一方、サポートパネル５の内縁５ｃは、カップ２とは縫合されない。従って、サポートパネル５は、図４及び図５に示すように、前方へ膨出するカップ２の裏側で、カップ２と遊離した状態で取り付けられている。
【００２３】
サポートパネル５の生地は、少なくとも略縦方向に伸縮性を有する生地が用いられ、例えば、パワーネット、サテンネット、トリコネット等のポリウレタン繊維等の弾性繊維含有ラッセル編物；ポリウレタン繊維等の弾性繊維含有ツーウェイトリコット編物；ポリウレタン繊維等の弾性繊維含有ベアー天竺；ポリウレタン繊維等の弾性繊維含有ストレッチレース等が挙げられる。これらの中でも、優れた耐久性を有し、着用感にも優れることから、サテンネットが好ましく用いられる。
【００２４】
支持布３の両端には、バック布４，４が縫合されている。また、バック布４，４の先端には係止具８，８が取り付けられ、ブラジャー１の着用時には、この係止具８，８が背中中央部にて係止する構成とされている。バック布４は、サポートパネル５と同様に、伸縮性生地で形成される。なお、本実施例では、ブラジャー１の形状を安定させる観点から、バック布４と支持布３の連結部には、ボーン９が介設されている。
【００２５】
肩紐６は、図１に示すように、カップ２の下端部と該カップと着用時に前後に対向するバック布４の上端部を連結するように設けられ、その前端部６ａは、サポートパネル５の内縁５ｃに縫着されている。本実施例では、図４等に示すように、前端部６ａはサポートパネル５の前面に縫着されている。また、カップ２を構成するカップ脇側表布２１の上端部は肩紐６に縫合されている。
【００２６】
肩紐６は、幅１５ｍｍ程度の伸縮性ベルトで形成され、通常のブラジャーの肩紐よりも幅広とされている。また、肩紐６の後部には、アジャスター１０が取り付けられており、肩紐６の長さを適宜調節できるようにしている。
【００２７】
図１に示すように、着用時には、左右のバック布４，４の先端部上縁４ａと４ａとで、Ｕ字状に刳り下がった形状が形成される。また、本実施例では、この先端部上縁４ａ，４ａに沿って、肩紐６と略同一幅の伸縮性のテープ布１１，１１が、肩紐６，６と連続して縫着されている。
【００２８】
上記構成のブラジャー１を着用すると、カップ２と遊離した状態で取り付けられるサポートパネル５が肩紐６によって上方に引き上げられ、突っ張った状態となり乳房が寄せ上げられる。また、アジャスター１０で肩紐６を短くして、サポートパネル５全体に上向きの力をさらに加えることで、乳房をさらに寄せ上げることができる。一方、アジャスター１０で肩紐６を長くして、サポートパネル５全体に加わる力を緩めることで、乳房を寄せ上げ効果を抑制して自然な仕上がりにすることができる。なお、サポートパネル５が、カップ２の対応部分の寸法と略同一の寸法とされている場合は、乳房の寄せ上げ効果をさらに抑制することができる。このように、ブラジャー１は、乳房の寄せ上げ機能を適宜調節することができる。
【００２９】
しかも、肩紐６は、サポートパネル５の内縁５ｃの下端部から上端部にかけて縫着されているので、サポートパネル５全体に力が加わりやすく、寄せ上げ機能の調節を容易に行うことができる。また、サポートパネル５の伸びが均一に起こるため、特定の箇所だけが磨耗することはない。そして、本実施例では、肩紐６の前端部６ａは、サポートパネル５の前面に縫着されているので、着用時に肩紐６が直接乳房に触れて着用感を著しく低下させることはない。
【００３０】
また、カップ脇側表布２１の上端部も肩紐６に縫合されているので、肩紐６によりカップ脇側表布２１が上方に引き上げられて、乳房の寄せ上げ機能がカップ２の表側でも発揮される。なお、カップ脇側表布２１は、図４に示すように、カップ２から延出するサポートパネル５と肩紐６の縫着部を隠して美しく見せる役割も果たす。
【００３１】
肩紐６は、通常ブラジャーに用いられる肩紐よりも幅広とされているので、サポートパネル５を上方へ引き上げる力を大きくすることができる。また、ブラジャー１の着用時には、背中中央部において、バック布４，４の先端部上縁４ａ，４ａがＵ字状に刳り下がった形状を形成することにより、肩紐６にかかる力でブラジャー１が前下がりになるのを防止する。比較的背中に脂肪が付いた者が着用する場合には、特に効果的である。
【００３２】
さらに、本実施例ではバック布４，４の先端部上縁４ａ，４ａに沿って、肩紐６と略同一幅の伸縮性のテープ布１１，１１が肩紐６，６と連続して縫着されていることから、ブラジャー１が前下がりになるのを確実に防止すると共に、比較的背中に脂肪が付いた者が着用しても、締めつけられず着用感に優れたものとなる。
【図面の簡単な説明】
【００３３】
【図１】図１は、本考案の実施例を示すブラジャーの正面側から見た斜視図である。
【図２】図１に示すブラジャーを広げた状態の背面図である。
【図３】図１に示すブラジャーの右半身用の各構成部片の展開図である。
【図４】図１に示すブラジャーの右半身側を斜め後方から見た図である。
【図５】（ａ）は、図１に示すブラジャーの縦断面図であり、（ｂ）は、図１に示すブラジャーの横断面図である。
【符号の説明】
【００３４】
１  ブラジャー
２  カップ
３  支持布
４  バック布
５  サポートパネル
６  肩紐
７  ワイヤー
８  係止具
９  ボーン
１０  アジャスター
１１  テープ布
【図１】
0003110504.tif 000003
【図２】
0003110504.tif 000004
【図３】
0003110504.tif 000005
【図４】
0003110504.tif 000006
【図５】
0003110504.tif 000007